(57)【特許請求の範囲】
【請求項１】
音声ワイヤレス端末及びこの音声ワイヤレス端末に対応する画像ワイヤレス端末が情報通信ネットワークに接続し、前記音声ワイヤレス端末に対応する画像ワイヤレス端末の存在を記憶するペア設定メモリと、前記音声ワイヤレス端末から発呼があったときにこの音声ワイヤレス端末に対応する画像ワイヤレス端末に着呼をかける第３者呼制御手段と、前記音声ワイヤレス端末及びこの画像ワイヤレス端末からの音声及び画像情報を合成するパケット合成手段とを有するワイヤレス制御装置を備え、前記音声ワイヤレス端末から発呼があったときに、前記ペア設定メモリを参照することにより音声ワイヤレス端末に対応する画像ワイヤレス端末の存在を確認して着呼をかけ、呼を確立して画像情報を受け、前記パケット合成手段により前記音声ワイヤレス端末からの音声情報と合成して一体となし、１つのパケットとして送信するようにしたことを特徴とするマルチメディア通信システム。
【請求項２】
音声ワイヤレス端末及びこの音声ワイヤレス端末に対応する画像ワイヤレス端末が情報通信ネットワークに接続し、前記音声ワイヤレス端末に対応する画像ワイヤレス端末の存在を記憶するペア設定メモリと、情報通信ネットワークから着信があったときに音声ワイヤレス端末に対応する画像ワイヤレス端末に着呼をかける第３者呼制御手段と、前記情報通信ネットワークからの着信情報を音声情報と画像情報とに分解するパケット分解手段とを有するワイヤレス制御装置を備え、情報通信ネットワークから前記音声ワイヤレス端末に対し着呼があったときは、前記パケット分解手段により着信情報を音声情報と画像情報とに分解して音声情報を画像ワイヤレス端末を有する音声ワイヤレス端末に送り、前記ペア設定メモリを参照することにより音声ワイヤレス端末に対応する画像ワイヤレス端末の存在を確認して発呼し、呼を確立して前記音声ワイヤレス端末に対応する画像ワイヤレス端末に画像情報を送るようにしたことを特徴とするマルチメディア通信システム。
【請求項３】
音声ワイヤレス端末及びこの音声ワイヤレス端末に対応する画像ワイヤレス端末が情報通信ネットワークに接続し、前記音声ワイヤレス端末に対応する画像ワイヤレス端末の存在を記憶するペア設定メモリと、前記音声ワイヤレス端末から発呼があったときにこの音声ワイヤレス端末に対応する画像ワイヤレス端末に着呼をかける第３者呼制御手段と、前記音声ワイヤレス端末及びこの画像ワイヤレス端末からの音声及び画像情報を合成するパケット合成手段と、前記情報通信ネットワークに対し無線通信する無線機とを有するワイヤレス制御装置を備え、前記音声ワイヤレス端末から発呼があったときに、前記ペア設定メモリを参照することにより前記音声ワイヤレス端末に対応する画像ワイヤレス端末の存在を確認して着呼をかけ、呼を確立して画像情報を受け、前記パケット合成手段により音声ワイヤレス端末からの音声情報と合成して一体となし、１つのパケットとして前記無線機により送信するようにしたことを特徴とするマルチメディア通信システム。
【請求項４】
音声ワイヤレス端末及びこの音声ワイヤレス端末に対応する画像ワイヤレス端末が情報通信ネットワークに接続し、前記音声ワイヤレス端末に対応する画像ワイヤレス端末の存在を記憶するペア設定メモリと、情報通信ネットワークから着信があったときに音声ワイヤレス端末に対応する画像ワイヤレス端末に着呼をかける第３者呼制御手段と、前記情報通信ネットワークからの着信情報を音声情報と画像情報とに分解するパケット分解手段と、前記情報通信ネットワークに対し無線通信する無線機とを有するワイヤレス制御装置を備え、情報通信ネットワークから前記音声ワイヤレス端末に対し着呼があったときは前記無線機により受信し、前記パケット分解手段により着信情報を音声情報と画像情報とに分解して音声情報をペア音声ワイヤレス端末に送り、前記ペア設定メモリを参照することにより音声ワイヤレス端末に対応する画像ワイヤレス端末の存在を確認して発呼し、呼を確立して前記音声ワイヤレス端末に対応する画像ワイヤレス端末に画像情報を送るようにしたことを特徴とするマルチメディア通信システム。
【請求項５】
音声ワイヤレス端末及びこの音声ワイヤレス端末に対応する画像ワイヤレス端末から情報通信ネットワークに対し音声情報及び画像情報を通信するマルチメディア通信システムにおいて、前記音声ワイヤレス端末から情報通信ネットワークに対して発呼があったときに前記音声ワイヤレス端末に対応する画像ワイヤレス端末の存在を認識し、前記存在が認識された音声ワイヤレス端末に対応する画像ワイヤレス端末に対し着呼をかけ、自動応答により呼を確立して画像情報を受信し、前記音声ワイヤレス端末からの音声情報と合成して一体となし、１つのパケットとして送信する各工程からなることを特徴とするマルチメディア通信方法。
【請求項６】
音声ワイヤレス端末及びこの音声ワイヤレス端末に対応する画像ワイヤレス端末に対し情報通信ネットワークから音声情報及び画像情報に通信するマルチメディア通信システムにおいて、前記情報通信ネットワークから前記音声ワイヤレス端末に対し着呼があったときに着信情報を音声情報と画像情報とに分解し、前記分解された音声情報を前記音声ワイヤレス端末に送信し、前記音声ワイヤレス端末に対応する画像ワイヤレス端末の存在を認識し、前記存在が認識された音声ワイヤレス端末に対応する画像ワイヤレス端末に対し着呼をかけ、自動応答により呼を確立して前記音声ワイヤレス端末に対応する画像ワイヤレス端末に前記分解された画像情報を送信する各工程からなることを特徴とするマルチメディア通信方法。
【発明の詳細な説明】
【０００１】
【発明の属する技術分野】
本発明は、ワイヤレスシステムを構成する機器により音声及び画像を送受信するマルチメディア通信システム及び方法に関する。
【０００２】
【従来の技術】
従来、この種のマルチメディア通信システムとしては図９に示すようなものがあった。図９は従来のマルチメディア通信システムを構成するブロック図である。図９において、１は情報通信ネットワーク、２はワイヤレス制御装置（以下ＰＣＵという）、２８は音声通信及び画像伝送が可能な複合ワイヤレス端末（以下ＰＳ（Ｖ／Ｉ）という）である。尚、ＰＣＵ２には無線基地局５が接続され、ＰＳ（Ｖ／Ｉ）２８の使用を可能にしている。また、ＰＣＵ２内には、中央制御装置（以下ＣＰＵという）２１、メモリ２２、イーサネット回線制御回路２３、基地局通信回路２４が配備される。
【０００３】
次に、図９を参照して、上記従来のマルチメディア通信システムの動作を説明する。利用者がＰＳ（Ｖ／Ｉ）２８を利用して発呼を行うと、ＰＣＵ２の基地局通信回路２４によりこの発呼を認識して、ＣＰＵ２１に通知する。ＣＰＵ２１では、イーサネット回線制御回路２３により情報通信ネットワーク１と通信を行う。ＰＳ（Ｖ／Ｉ）２８は、音声及び画像の伝送が可能であるから、利用者は音声情報と画像情報を一体にしたマルチメディア通信を実現する事ができる。
【０００４】
【発明が解決しようとする課題】
しかしながら、上記従来のマルチメディア通信システムにおいては、以下のような問題があった。
（１）音声通信及び画像伝送を同時に取り扱うことのできる端末は、従来の単一機能型端末に比べ高価になる。
（２）ＰＳとＰＣＵ間の無線通信は、従来の無線通信に比べ２倍通信量が発生するため、無線通信速度を高速化する必要がある。
【０００５】
本発明は、上記従来の問題を解決するためのもので、特に無線通信速度を高速化する必要がなく、従来の端末及び無線通信方式を利用して安価にマルチメディア通信を実現することができるマルチメディア通信システムを提供することを目的とする。
【０００６】
【課題を解決するための手段】
本発明の請求項１に記載の発明におけるマルチメディア通信システムは、音声ワイヤレス端末及びこの音声ワイヤレス端末に対応する画像ワイヤレス端末が情報通信ネットワークに接続し、前記音声ワイヤレス端末に対応する画像ワイヤレス端末の存在を記憶するペア設定メモリと、前記音声ワイヤレス端末から発呼があったときにこの音声ワイヤレス端末に対応する画像ワイヤレス端末に着呼をかける第３者呼制御手段と、前記音声ワイヤレス端末及びこの画像ワイヤレス端末からの音声及び画像情報を合成するパケット合成手段とを有するワイヤレス制御装置を備え、前記音声ワイヤレス端末から発呼があったときに、前記ペア設定メモリを参照することにより音声ワイヤレス端末に対応する画像ワイヤレス端末の存在を確認して着呼をかけ、呼を確立して画像情報を受け、前記パケット合成手段により前記音声ワイヤレス端末からの音声情報と合成して一体となし、１つのパケットとして送信するようにしたものである。
【０００７】
本発明は、ペアで使用する音声ワイヤレス端末及び画像ワイヤレス端末を設け、発呼において音声情報及び画像情報をそれぞれ音声ワイヤレス端末及び画像ワイヤレス端末から１つのパケットとして同時に送信するようにしたことにより、新たに大規模に投資してワイヤレス端末（ＰＳ）の無線通信速度を高速化する必要なく、従来の音声ワイヤレス端末及び画像ワイヤレス端末を使用した音声用及び画像用の単一機能端末の組み合わせにより、同時に音声通信及び画像伝送を行うことができるため、従来の通信方式により簡単且つ安価にマルチメディア通信を実現することができるマルチメディア通信システムが得られる。
【０００８】
本発明の請求項２に記載の発明におけるマルチメディア通信システムは、音声ワイヤレス端末及びこの音声ワイヤレス端末に対応する画像ワイヤレス端末が情報通信ネットワークに接続し、前記音声ワイヤレス端末に対応する画像ワイヤレス端末の存在を記憶するペア設定メモリと、情報通信ネットワークから着信があったときに音声ワイヤレス端末に対応する画像ワイヤレス端末に着呼をかける第３者呼制御手段と、前記情報通信ネットワークからの着信情報を音声情報と画像情報とに分解するパケット分解手段とを有するワイヤレス制御装置を備え、情報通信ネットワークから前記音声ワイヤレス端末に対し着呼があったときは、前記パケット分解手段により着信情報を音声情報と画像情報とに分解して音声情報を画像ワイヤレス端末を有する音声ワイヤレス端末に送り、前記ペア設定メモリを参照することにより音声ワイヤレス端末に対応する画像ワイヤレス端末の存在を確認して発呼し、呼を確立して前記音声ワイヤレス端末に対応する画像ワイヤレス端末に画像情報を送るようにしたものである。
【０００９】
本発明は、ペアで使用する音声ワイヤレス端末及び画像ワイヤレス端末を設け、着呼したときに着信情報を音声情報及び画像情報に分解してそれぞれ音声ワイヤレス端末及び画像ワイヤレス端末に対し伝送するようにしたことにより、新たに大規模に投資してワイヤレス端末の無線通信速度を高速化する必要なく、従来の音声ワイヤレス端末及び画像ワイヤレス端末を使用した音声用及び画像用の単一機能端末の組み合わせにより音声通信及び画像伝送を同時に行うことができるため、従来の通信方式により簡単且つ安価にマルチメディア通信を実現することができるマルチメディア通信システムが得られる。
【００１０】
本発明の請求項３に記載の発明におけるマルチメディア通信システムは、音声ワイヤレス端末及びこの音声ワイヤレス端末に対応する画像ワイヤレス端末が情報通信ネットワークに接続し、前記音声ワイヤレス端末に対応する画像ワイヤレス端末の存在を記憶するペア設定メモリと、前記音声ワイヤレス端末から発呼があったときにこの音声ワイヤレス端末に対応する画像ワイヤレス端末に着呼をかける第３者呼制御手段と、前記音声ワイヤレス端末及びこの画像ワイヤレス端末からの音声及び画像情報を合成するパケット合成手段と、前記情報通信ネットワークに対し無線通信する無線機とを有するワイヤレス制御装置を備え、前記音声ワイヤレス端末から発呼があったときに、前記ペア設定メモリを参照することにより前記音声ワイヤレス端末に対応する画像ワイヤレス端末の存在を確認して着呼をかけ、呼を確立して画像情報を受け、前記パケット合成手段により音声ワイヤレス端末からの音声情報と合成して一体となし、１つのパケットとして前記無線機により送信するようにしたものである。
【００１１】
本発明は、ペアで使用する音声ワイヤレス端末及び画像ワイヤレス端末を設け、発呼において音声情報及び画像情報をそれぞれ音声ワイヤレス端末及び画像ワイヤレス端末から１つのパケットとして同時に無線送信するようにしたことにより、新たに大規模に投資してワイヤレス端末の無線通信速度を高速化する必要なく、従来の音声ワイヤレス端末及び画像ワイヤレス端末を使用した音声用及び画像用の単一機能端末の組み合わせにより、同時に音声通信及び画像伝送を行うことができるため、従来の通信方式により簡単且つ安価にマルチメディア通信を実現することができるマルチメディア通信システムが得られる。
【００１２】
本発明の請求項４に記載の発明におけるマルチメディア通信システムは、音声ワイヤレス端末及びこの音声ワイヤレス端末に対応する画像ワイヤレス端末が情報通信ネットワークに接続し、前記音声ワイヤレス端末に対応する画像ワイヤレス端末の存在を記憶するペア設定メモリと、情報通信ネットワークから着信があったときに音声ワイヤレス端末に対応する画像ワイヤレス端末に着呼をかける第３者呼制御手段と、前記情報通信ネットワークからの着信情報を音声情報と画像情報とに分解するパケット分解手段と、前記情報通信ネットワークに対し無線通信する無線機とを有するワイヤレス制御装置を備え、情報通信ネットワークから前記音声ワイヤレス端末に対し着呼があったときは前記無線機により受信し、前記パケット分解手段により着信情報を音声情報と画像情報とに分解して音声情報をペア音声ワイヤレス端末に送り、前記ペア設定メモリを参照することにより音声ワイヤレス端末に対応する画像ワイヤレス端末の存在を確認して発呼し、呼を確立して前記音声ワイヤレス端末に対応する画像ワイヤレス端末に画像情報を送るようにしたものである。
【００１３】
本発明は、ペアで使用する音声ワイヤレス端末及び画像ワイヤレス端末を設け、着呼において無線受信した着信情報を音声情報及び画像情報に分解してそれぞれ音声ワイヤレス端末及び画像ワイヤレス端末に対し伝送するようにしたことにより、新たに大規模に投資してワイヤレス端末の無線通信速度を高速化する必要なく、従来の音声ワイヤレス端末及び画像ワイヤレス端末を使用した音声用及び画像用の単一機能端末の組み合わせにより音声通信及び画像伝送を同時に行うことができるため、従来の通信方式により簡単且つ安価にマルチメディア通信を実現することができるマルチメディア通信システムが得られる。
【００１４】
本発明の請求項５に記載の発明におけるマルチメディア通信方法は、音声ワイヤレス端末及びこの音声ワイヤレス端末に対応する画像ワイヤレス端末から情報通信ネットワークに対し音声情報及び画像情報を通信するマルチメディア通信システムにおいて、前記音声ワイヤレス端末から情報通信ネットワークに対して発呼があったときに前記音声ワイヤレス端末に対応する画像ワイヤレス端末の存在を認識し、前記存在が認識された音声ワイヤレス端末に対応する画像ワイヤレス端末に対し着呼をかけ、自動応答により呼を確立して画像情報を受信し、前記音声ワイヤレス端末からの音声情報と合成して一体となし、１つのパケットとして送信する各工程からなるようにしたものである。
【００１５】
本発明は、発呼においてペアで使用する音声ワイヤレス端末及び画像ワイヤレス端末からそれぞれ音声情報及び画像情報を１つのパケットとして同時に送信するようにしたことにより、新たに大規模に投資してワイヤレス端末の無線通信速度を高速化する必要なく、従来の音声ワイヤレス端末及び画像ワイヤレス端末の組み合わせを使用して同時に音声通信及び画像伝送を行うことができるため、従来の通信方式により簡単且つ安価にマルチメディア通信を実現することができるマルチメディア通信方法が得られる。
【００１６】
本発明の請求項６に記載の発明におけるマルチメディア通信方法は、音声ワイヤレス端末及びこの音声ワイヤレス端末に対応する画像ワイヤレス端末に対し情報通信ネットワークから音声情報及び画像情報に通信するマルチメディア通信システムにおいて、前記情報通信ネットワークから前記音声ワイヤレス端末に対し着呼があったときに着信情報を音声情報と画像情報とに分解し、前記分解された音声情報を前記音声ワイヤレス端末に送信し、前記音声ワイヤレス端末に対応する画像ワイヤレス端末の存在を認識し、前記存在が認識された音声ワイヤレス端末に対応する画像ワイヤレス端末に対し着呼をかけ、自動応答により呼を確立して前記音声ワイヤレス端末に対応する画像ワイヤレス端末に前記分解された画像情報を送信する各工程からなるようにしたものである。
【００１７】
本発明は、着呼したときに受信した着信情報を音声情報及び画像情報に分解してペアで使用する音声ワイヤレス端末及び画像ワイヤレス端末に対しそれぞれ伝送するようにしたことにより、新たに大規模に投資してワイヤレス端末の無線通信速度を高速化する必要なく、従来の音声ワイヤレス端末及び画像ワイヤレス端末の組み合わせを使用して音声通信及び画像伝送を同時に行うことができるため、従来の通信方式により簡単且つ安価にマルチメディア通信を実現することができるマルチメディア通信方法が得られる。
【００１８】
【発明の実施の形態】
以下、添付図面、図１乃至図９に基づき、本発明の実施の形態１乃至４を詳細に説明する。
（実施の形態１）
まず、図１乃至図３を参照して、本発明の実施の形態１におけるマルチメディア通信システムの構成を説明する。図１は本発明の実施の形態１におけるマルチメディア通信システムの構成を示すブロック図、図２は図１に示す音声ワイヤレス端末が発呼した場合の接続手順を示すタイミング図、図３は図１に示すワイヤレス制御装置が情報通信ネットワークに向けて発信する場合の動作の流れを示すフローチャートである。
【００１９】
図１において、情報通信ネットワーク１には、無線基地局（ＣＳという）５を制御するワイヤレス制御装置（以下ＰＣＵという）２が接続され、ＰＣＵ２は無線基地局５を介して音声通信を実現する音声ワイヤレス端末（以下ＰＳ（Ｖ）という）３及び画像伝送を実現する画像ワイヤレス端末（以下ＰＳ（Ｉ）という）４を使用できるよう、ＰＳ（Ｖ）３及びＰＳ（Ｉ）４に接続される。また、ＰＳ（Ｉ）４には、自動応答手段が装備される。ここで、ＰＳ（Ｖ）３及びＰＳ（Ｉ）４等を総称して、単にＰＳともいう。
【００２０】
また、ＰＣＵ２内には、中央制御装置（ＣＰＵ）２１、メモリ２２、イーサネット回線制御回路２３、基地局通信回路２４を配備し、ＣＰＵ２１内には、ＰＳペアのＰＳ（Ｖ）から発呼があったときにＰＳペアのＰＳ（Ｉ）に着呼をかける第３者呼制御手段２１１、ＰＳペアの両端末からの音声及び画像情報を合成するパケット合成手段２１２を備え、メモリ２２にはＰＳペアの存在を記憶するペア設定メモリとしてのＰＳペア設定メモリ２２１を備える。
【００２１】
次に、図１を参照して、本実施の形態１におけるマルチメディア通信システムを概略説明する。本実施の形態１はＰＳ（Ｖ）３からの音声による発呼に対しＰＳ（Ｉ）４からの画像を伴ってＰＣＵ２から送信相手に発信する場合に対するものである。まず、ＰＳ（Ｖ）３からダイヤル入力などにより発呼されると、ＰＣＵ２は無線基地局５及び基地局通信回路２４を経由して呼を認識し、メモリ２２上のＰＳペア設定メモリ２２１のＩＤと発呼ＰＳ（Ｖ）３のＩＤを照合して合致した場合、ＰＣＵ２はＰＳペア設定メモリ２２１にある発呼ＰＳ（Ｖ）３とペア設定されている画像伝送ＰＳであるＰＳ（Ｉ）４のＩＤを認識し、発呼したＰＳ（Ｖ）３にペア設定ＰＳが存在する場合は、第３者呼制御手段２１１を用いてペア設定されているＰＳ（Ｉ）４に着呼をかけ、さらにＰＳ（Ｉ）４が自動応答を行うことにより、新たな呼を確立する。
【００２２】
また、上位の情報通信ネットワーク１に対しては、ＰＣＵ上のパケット合成手段２１２によりＰＳ（Ｖ）３及びＰＳ（Ｉ）４からの音声情報及び画像情報を合成して一つのパケットとして送信する。これにより、既存のＰＳ（Ｖ）３及びＰＳ（Ｉ）４から発信した音声情報及び画像情報を一体にしたマルチメディア通信を実現することができる。
【００２３】
次に、図２及び図３を参照して、本発明の実施の形態１におけるマルチメディア通信システムの音声ワイヤレス端末（ＰＳ（Ｖ））から発呼した場合のマルチメディア通信システムの動作を説明する。まず、利用者がＰＳ（Ｖ）３を利用して発呼すると、その接続要求４１（図２）は無線基地局５を介してワイヤレス制御装置２に送られる。ワイヤレス制御装置２はその接続要求４１を受信すると（ステップＳ５１）、基地局通信回路２４によりこれを認識してＣＰＵ２１に通知する。ＣＰＵ２１は発呼端末の種別、すなわち、発呼端末が本発明のワイヤレスシステムに対応可能な端末か否かを判定する（ステップＳ５２）。ステップＳ５３において、対応可能な端末であると認定されるとステップＳ５４に進み、対応可能でなければＰＳ（Ｉ）４に対する発呼手順は行わず、音声のみの発呼手順を行って終了する。なお、ＰＳ（Ｖ）３からの接続要求４１に対する発呼相手との接続手順は通常の方法で行われた後、音声通信４２（図２）に入る。
【００２４】
ステップＳ５４において、ＣＰＵ２１はメモリ２２上のＰＳペア設定メモリ２２１を参照して発呼したＰＳ（Ｖ）３に対応するＰＳ（Ｉ）４があるか否かを判定する。対応するＰＳ（Ｉ）４がなければステップＳ５８に進み、ペアＰＳ（Ｉ）４が存在した場合には、ステップＳ５５において、ＣＰＵ２１は第３者呼制御手段２１１を用いてそのＰＳ（Ｉ）４に対し接続要求４３（図２）をかける。接続要求４３がかけられたＰＳ（Ｉ）４は自動応答して接続応答４４（図２）を返し、２つ目の呼を確立して画像通信４５（図２）に入る。
【００２５】
ＣＰＵ２１は接続要求４３に対してＰＳ（Ｉ）４に画像情報があるか否かを確認し（ステップＳ５６）、なければステップＳ５８に進み、あれば画像情報を受信し、その後パケット合成手段２１２を起動して先の発呼による音声情報と合成する（ステップＳ５７）。合成した音声・画像情報など４６（図２）はイーサネット回線制御回路２３から情報通信ネットワーク１に対し送信される（ステップＳ５８）。通話が終了すると、ＰＣＵ２はＰＳ（Ｖ）３からの切断要求４７（図２）によりＰＳ（Ｉ）４に対し切断指示４８（図２）を送信して、ＰＳ（Ｉ）４の接続を切断する。
【００２６】
上記のように構成したことにより、特に無線通信速度を高速化する必要がなく、利用者は既存のＰＳ（Ｖ）３とＰＳ（Ｉ）４とにより音声情報と画像情報とを一体にしたマルチメディア情報の発信を実現することができる。
【００２７】
（実施の形態２）
まず、図４乃至図６を参照して、本発明の実施の形態２におけるマルチメディア通信システムの構成を説明する。図４は本発明の実施の形態２におけるマルチメディア通信システムの構成を示すブロック図、図５は図４に示すワイヤレス制御装置が着呼した場合の応答手順を示すタイミング図、図６は図４に示すワイヤレス制御装置が情報通信ネットワークから着呼した場合の動作の流れを示すフローチャートである。
【００２８】
図４に示す本実施の形態２においては、図１に示すパケット合成手段２１２を削除して、パケット分解手段２１３を追加したものである。その他、図４に示す符号と図１に示す符号が同一の構成要素は同様のものであるから、再度の説明は省略する。
【００２９】
次に、図４を参照して、本実施の形態２におけるマルチメディア通信システムを概略説明する。本実施の形態２は情報通信ネットワーク１から情報の着信があった場合に、その着信情報を音声情報と画像情報とに分解してそれぞれＰＳ（Ｖ）３及びＰＳ（Ｉ）４に対し送信する場合に対するものである。まず、情報通信ネットワーク１から音声情報及び画像情報が一体となったパケットの着信があった場合、ＰＣＵ２上のパケット分解手段２１３によりＰＳ（Ｖ）３及びＰＳ（Ｉ）４に対する音声情報と画像情報とに分解し、音声は基地局通信回路２４の制御により無線基地局５を経由してＰＳ（Ｖ）３に送信され、さらにＰＣＵ２のメモリ２２上にあるＰＳペア設定メモリ２２１から、ペア設定されている画像伝送ＰＳであるＰＳ（Ｉ）４のＩＤを認識して、このＰＳ（Ｉ）４に対し着呼をかけると、ＰＳ（Ｉ）４は自動応答を行うことにより、ＰＳ（Ｉ）４による新たな呼を確立する。これにより、既存のＰＳ（Ｖ）３及びＰＳ（Ｉ）４により音声情報及び画像情報を一体にしたマルチメディア情報の着信を実現することができる。
【００３０】
次に、図５及び図６を参照して、本発明の実施の形態２におけるマルチメディア通信システムの情報通信ネットワークから有線で受信した場合のマルチメディア通信システムの動作を説明する。まず、情報通信ネットワーク１から着呼があった場合（ステップＳ８１）、ＰＣＵ２上のパケット分解手段２１３によりＰＳ（Ｖ）３への音声情報とＰＳ（Ｉ）４への画像情報とに分解し（ステップＳ８２）、ＰＣＵ２は基地局通信回路２４によりこれを認識してＣＰＵ２１に通知する。すなわち、ＣＰＵ２１は着呼端末の種別、すなわち、着呼端末が本発明のマルチメディア通信システムに対応可能な端末か否かを判定する（ステップＳ８３）。
【００３１】
着呼端末が本発明のマルチメディア通信システムに対応可能な端末であれば、ＰＣＵ２のメモリ２２にあるＰＳペア設定メモリ２２１を参照して、着呼したＰＳ（Ｖ）３に対応するＰＳ（Ｉ）４があるか否かをそのＩＤから判定する（ステップＳ８４）。ペアＰＳ（Ｉ）４が存在した場合には、ＣＰＵ２１が第３者呼制御手段２１４を用い、そのＰＳ（Ｉ）４に対して接続要求（図５の７２）をかける。接続要求７２がかけられたＰＳ（Ｉ）４は、自動応答して接続応答（図５の７４）を返し、新たな呼が確立され、ステップＳ８５において、接続されたペアＰＳ（Ｉ）４に対し発呼する。ステップＳ８４において、ペアＰＳ（Ｉ）４が存在しない場合には、ステップＳ８６に進み、下記のように、音声情報のみを受信する。
【００３２】
一方、ステップＳ８２において分解された音声情報により、ワイヤレス制御装置２により基地局通信回路２４を起動し無線基地局５を通してＰＳ（Ｖ）３に対して接続要求７３（図５）をかける。ＰＳ（Ｖ）３が応答すると（図５の７５）新たな呼が確立される。画像情報は呼が確立されたＰＳ（Ｖ）４に送信され（図５の７６）、音声情報は呼が確立されたＰＳ（Ｖ）３に送信される（ステップＳ８６）。
【００３３】
上記のように構成したことにより、特に無線通信速度を高速化する必要がなく、利用者は既存のＰＳ（Ｖ）３とＰＳ（Ｉ）４とにより音声情報と画像情報とを一体にしたマルチメディア情報の着信を実現することができる。
【００３４】
（実施の形態３）
まず、図７を参照して、本発明の実施の形態３におけるマルチメディア通信システムの構成を説明する。図７は本発明の実施の形態３におけるマルチメディア通信システムの構成を示すブロック図である。
本発明の実施の形態３におけるマルチメディア通信システムの構成は、図１に示すイーサネット回線制御回路２３を削除し、無線機２６を追加して、情報通信ネットワークとのインタフェースをワイヤレスとしたものである。その他、図７に示す符号と図１に示す符号が同一の構成要素は同様のものであるから、再度の説明は省略する。
【００３５】
次に、図７を参照して、本発明の実施の形態３におけるマルチメディア通信システムの音声ワイヤレス端末から発呼した場合のマルチメディア通信システムの動作を説明する。まず、利用者がＰＳ（Ｖ）３を利用して発呼を行うことにより、ＰＣＵ２は、無線基地局５及び基地局通信回路２４によりこれを認識してＣＰＵ２１に通知する。ＣＰＵ２１は、メモリ２２上のＰＳペア設定メモリ２２１を参照し、ペア設定ＰＳが存在する場合は、第３者呼制御手段２１１を用いてそのＰＳに対し基地局通信回路２４を起動し、無線基地局５から着呼をかける。ここで着呼がかけられたＰＳをＰＳ（Ｉ）４とすると、このＰＳ（Ｉ）４は自動応答を行い、２つめの呼を確立する。ＣＰＵ２１はこれを検出した後、パケット合成手段２１２を起動し、ＰＳ（Ｖ）３及びＰＳ（Ｉ）４からの音声情報及び画像情報を合成して一体のパケットとし、無線機２６から情報通信ネットワーク１に対し送信して通信を行う。その他、本実施の形態３におけるマルチメディア通信システムの音声ワイヤレス端末から発呼した場合のマルチメディア通信システムの動作は、上記実施の形態１におけるものと同様である。
【００３６】
上記のように構成したことにより、特に無線通信速度を高速化する必要がなく、利用者は既存のＰＳ（Ｖ）３とＰＳ（Ｉ）４とにより音声情報と画像情報とを一体にしたマルチメディア情報の発信を実現することができる。
【００３７】
（実施の形態４）
まず、図８を参照して、本発明の実施の形態４におけるマルチメディア通信システムの構成を説明する。図８は本発明の実施の形態４におけるマルチメディア通信システムの構成を示すブロック図である。
本発明の実施の形態４におけるマルチメディア通信システムの構成は、図４に示すイーサネット回線制御回路２３を削除し、無線機２６を追加して、情報通信ネットワークとのインタフェースをワイヤレスとしたものである。その他、図８に示す符号と図４に示す符号が同一の構成要素は同様のものであるから、再度の説明は省略する。
【００３８】
次に、図８を参照して、本発明の実施の形態４におけるマルチメディア通信システムの情報通信ネットワークから無線で受信した場合のマルチメディア通信システムの動作を説明する。まず、情報通信ネットワーク１から着信があった場合、ＰＣＵ２は無線機２６においてそれを受信し、ＰＣＵ２上のパケット分解手段２１３によりＰＳ（Ｖ）３及びＰＳ（Ｉ）４に対する音声情報及び画像情報に分解し、音声情報は基地局通信回路２４を起動して無線基地局５からＰＳ（Ｖ）３に通知し、応答があると、ＰＳ（Ｖ）３に対し新たな呼を確立して音声情報を送信する。また、ＰＣＵ２のメモリ２２上にあるＰＳペア設定メモリ２２１から、ペア設定されている画像伝送ＰＳであるＰＳ（Ｉ）４のＩＤを認識する。ＣＰＵ２１は、第３者呼制御手段２１４を用い、基地局通信回路２４を起動して、このＰＳ（Ｖ）４に対し無線基地局５から着呼をかけ、ＰＳ（Ｖ）４が自動応答を行うことにより新たな呼を確立して、ＰＳ（Ｖ）４に対し画像情報を伝送する。その他、本実施の形態４におけるマルチメディア通信システムの情報通信ネットワークから無線で受信した場合のマルチメディア通信システムの動作は、上記実施の形態２におけるものと同様である。
【００３９】
上記のように構成したことにより、特に無線通信速度を高速化する必要がなく、利用者は既存のＰＳ（Ｖ）３とＰＳ（Ｉ）４とにより音声情報と画像情報とを一体にしたマルチメディア情報の着信を実現することができる。
なお、以上説明した本発明の実施の形態におけるマルチメディア通信システム及び方法はハードウェアまたはソフトウェアの何れでも実現可能である。
【００４０】
【発明の効果】
本発明は、上記のように構成され、特にＰＳ（Ｖ）から発呼するときは、ペアＰＳ（Ｉ）の存在を確認して着呼をかけ、自動応答により呼を確立して画像情報を受け、ＰＳ（Ｖ）からの音声情報と合成して一体とし、１つのパケットとして送信するようにしたことにより、無線通信速度を高速化する必要がなく、従来の音声端末、画像端末及び無線通信方式を利用して、安価にマルチメディア通信の発呼を実現できるマルチメディア通信システムを提供することができる。
【００４１】
本発明は、上記のように構成され、特に情報通信ネットワークから着信があったときは、着信情報を音声情報と画像情報とに分解して、音声情報はペアＰＳ（Ｖ）に送るとともに、ペアＰＳ（Ｉ）の存在を確認して発呼し、自動応答により呼を確立してそのペアＰＳ（Ｉ）に画像情報を送るようにしたことにより、無線通信速度を高速化する必要がなく、従来の音声端末、画像端末及び無線通信方式を利用して、安価にマルチメディア通信の着呼を実現できるマルチメディア通信システムを提供することができる。
【図面の簡単な説明】
【図１】本発明の実施の形態１におけるマルチメディア通信システムの構成を示すブロック図、
【図２】図１に示す音声ワイヤレス端末が発呼した場合の接続手順を示すタイミング図、
【図３】図１に示すワイヤレス制御装置が情報通信ネットワークに向けて発信する場合の動作の流れを示すフローチャート、
【図４】本発明の実施の形態２におけるマルチメディア通信システムの構成を示すブロック図、
【図５】図４に示すワイヤレス制御装置が着呼した場合の応答手順を示すタイミング図、
【図６】図４に示すワイヤレス制御装置が情報通信ネットワークから着呼した場合の動作の流れを示すフローチャート、
【図７】本発明の実施の形態３におけるマルチメディア通信システムの構成を示すブロック図、
【図８】本発明の実施の形態４におけるマルチメディア通信システムの構成を示すブロック図、
【図９】従来のマルチメディア通信システムを構成するブロック図。
【符号の説明】
１  情報通信ネットワーク
２  ワイヤレス制御装置（ＰＣＵ）
３  音声ワイヤレス端末（ＰＳ（Ｖ））
４  画像ワイヤレス端末（ＰＳ（Ｉ））
５  無線基地局
２１  中央制御装置（ＣＰＵ）
２２  メモリ
２３  イーサネット回線制御回路
２４  基地局通信回路
２８  音声・画像複合ワイヤレス端末（ＰＳ（Ｖ／Ｉ））
２１１  第３者呼制御手段
２１２  パケット合成手段
２１３  パケット分解手段
２１４  第３者呼制御手段
２２１  ＰＳペア設定メモリ
【図１】
0004291461.tif 000002
【図２】
0004291461.tif 000003
【図３】
0004291461.tif 000004
【図４】
0004291461.tif 000005
【図５】
0004291461.tif 000006
【図６】
0004291461.tif 000007
【図７】
0004291461.tif 000008
【図８】
0004291461.tif 000009
【図９】
0004291461.tif 000010